(57)【要約】      （修正有）【課題】交換操作の容易なインク供給容器を具えるインクジェットプリンター。【解決手段】駆動部１０、プリンタヘッド２０及びインク供給容器３０によって構成されるインク供給印刷部１を具えるインクジェットプリンターであって、該駆動部はガイドレール２に沿って移動できるよう該インクジェットプリンター内に配置され、インク供給容器をセットする固定台を具える。該プリンタヘッドは分離できるよう該駆動部と結合され、インク供給容器は上述駆動部の固定台の中に設置されて、接続パイプ４０でプリンタヘッドと接続し、インクをプリンタヘッドに供給する。インク残量は、透明なインク供給容器や接続パイプを通して確認できる。【選択図】図１
0003139616.tif 000002
【実用新案登録請求の範囲】
【請求項１】
駆動部、プリンタヘッド、インク供給容器を具え、
該駆動部は、インクジェットプリンターに移動可能に設けられると共に、インクを入れるインク供給容器を収容する固定台を具え、
プリンタヘッドは、該駆動部に着脱可能に取り付けられ、
該供給容器は、上記駆動部の固定台に設置されると共に接続パイプでプリンタヘッドと接続されてインクをプリンタヘッドに供給することを特徴とするインク供給印刷部を具有するインクジェットプリンター。
【請求項２】
前記インク供給容器は、容器蓋及び容器本体からなり、該容器蓋内にスプリング及びピストンを設けて、該スプリングの一端は該容器蓋頂上内側に当接し、他端は該ピストンに当接することを特徴とする請求項1記載のインク供給印刷部を具有するインクジェットプリンター。
【請求項３】
前記固定台は、垂直板及び二枚の該垂直板の片面側より水平方向に延伸する水平板を具え、二枚の水平板には該インク供給容器を収容する穴を相対して設けたことを特徴とする請求項1記載のインク供給印刷部を具有するインクジェットプリンター。
【請求項４】
前記インク供給容器の外周面に一以上の突出ブロックを設けて、該インク供給容器を該固定台に固定させることを特徴とする請求項3記載のインク供給印刷部を具有するインクジェットプリンター。
【請求項５】
前記固定台は、少なくとも一つの垂直板より延伸する接続部を具え、該駆動部は更に固定板を具え、及び、
該接続部は該固定板と互いに連結することで、該固定台を駆動部に固定することを特徴とする請求項3記載のインク供給印刷部を具有するインクジェットプリンター。
【考案の詳細な説明】
【技術分野】
【０００１】
本考案は、一種のインクジェットプリンターに関し、特にローコスト、容易にインクを取り替えられ、且つインクの残量をチェックできる、インク供給印刷部を具有するインクジェットプリンターに関する。
【背景技術】
【０００２】
従来技術のインクジェットプリンターの印刷部は駆動部及びプリンタヘッドを具え、該駆動部は移動できるよう該インクジェットプリンターのレールと結合し、該プリンタヘッドは分離できるよう該駆動部と結合し、該駆動部が移動することで、該プリンタヘッドが被印字物の上にプリントをする。
【０００３】
インクの供給方法は気圧式を使用し、該気圧式のインク供給セットは、インク貯蔵容器及び気圧式のインク注入装置を具える。該気圧式のインク注入装置とは、気圧スチールボトル及び気圧の導管などの構成によってインク貯蔵装置内のインクを引き出す。上述のプリンタヘッドと接続するパイプにより、インクが該プリンタヘッドに流出する。
【０００４】
上述の従来技術のインクジェットプリンターには下記の欠点があるため、改善する必要があった。
(一)、インク貯蔵容器は、直接上記の印刷部と接続しないため、ユーザーが操作時、同時にインク貯蔵容器内にあるインク残量を確認することができず、リアルタイムにインクを交換することができない。
(二)気圧式のインク注入装置を使用することによって、インクをインク貯蔵容器からプリンタヘッドに供給することができるが、これらの装置の設置により、全体のコストがアップする。
(三)  上述の駆動部がスムーズに移動し、インクジェットプリンターの操作効率を上げるために、必ずレールの設置が必要。
(四)  インク貯蔵容器を交換する場合、気圧式インク注入装置と接続するため、一般のユーザーにとって、新しいインク貯蔵容器を設置する際、該気圧式インク注入装置を適切に接続できなければ、インクの供給に支障がきたし、インクジェットプリンターが動作しなくなる。
【特許文献１】特開２０００−２０３０４４号公報
【考案の開示】
【考案が解決しようとする課題】
【０００５】
本考案の第一の目的は、インク供給容器をインクジェットプリンターにある印刷部の駆動部と結合し、ユーザーが操作すると同時に、インクの残量が確認できるインク供給印刷部を具有インクジェットプリンターの構造を提供することにある。
本考案の第二の目的は、インク供給容器をインクジェットプリンターの駆動部と結合することで、インクを直接プリンタヘッドに供給し、コスト削減できるインク供給印刷部を具有するインクジェットプリンターの構造を提供することにある。
本考案の第三の目的は、シンプルな構造で、ユーザーが簡単にインク供給容器を取り替えられるインク供給印刷部を具有するインクジェットプリンターの構造を提供することにある。
本考案の第四の目的は、該インク供給容器内にスプリング及びピストンを設置することで、インクが更にスムーズにプリンタヘッドに供給するインク供給印刷部を具有するインクジェットプリンターの構造を提供することにある。
【課題を解決するための手段】
【０００６】
前記課題を解決するために、本考案は駆動部、プリンタヘッド及びインク供給容器から構成するインク供給印刷部を具有するインクジェットプリンターの構造を提供する。該駆動部は移動できるよう該インクジェットプリンターと結合し、同時に固定台を設置する。該プリンタヘッドは分離できるよう該駆動部と結合する。インクを入れるインク供給容器は上述の駆動部の固定台に設置し、接続パイプを通じて上述のプリンタヘッドと接続し、インクを上述のプリンタヘッドに供給する。
【考案の効果】
【０００７】
本考案は、シンプルな構造でインクの取替えが簡単且つ、インク供給容器を駆動部と結合することでプリントと同時に、インクの残量をチェックすることができ、製造コストを下げる。また、インク供給容器内にスプリング及びピストンを設置するため、インクは更にスムーズにプリンタヘッドに供給することができる。
【考案を実施するための最良の形態】
【０００８】
本考案によるインク供給印刷部を具有するインクジェットプリンターの構造及び特徴と機能を明確に示すために図に沿って詳細な説明を行う。図1及び図2は、本考案のインク供給印刷部1を具有するインクジェットプリンター2の立体分解図及び立体外観図である。
【０００９】
本考案は、インク供給印刷部を具有するインクジェットプリンターの構造に関し、該インク供給印刷部1は駆動部10、プリンタヘッド20及びインク供給容器30を具える。
【００１０】
前記駆動部10は、該インクジェットプリンターのレール2に沿って移動するよう設置され、インク供給容器30をセットする固定台12を具える。レール2に沿って該駆動部10が移動することにより、印刷することができる。
【００１１】
前記のプリンタヘッド20は、分離できるよう該駆動部10と結合する。前記のインクを入れるインク供給容器30は前記駆動部10の固定台12の中に設置し、接続パイプ40及び前記プリンタヘッド20と接続することで、インクを前記プリンタヘッド20に供給する。
【００１２】
前記固定台12は、垂直板122及び二枚の水平板126を具え、該二枚の水平板126はそれぞれ該垂直板122の片面より水平方向に延伸する。また、該二枚の水平板126はそれぞれ穴128を具え、該二つの穴128は上下に相対して配置されて該インク供給容器30を収容する。該二つの穴の直径は、同じ或いは異なるサイズにすることができ、この実施例では、該二つの穴128の直径は同じである。
【００１３】
また、該固定台12は少なくとも該垂直板122より延伸する接続部124を設けて、該駆動部10の固定板102と連結することにより該固定台12を該駆動部10に固定する。本実施例では、ねじ3によって該接続部124を該駆動部10の固定板102に固定している。
【００１４】
図に示すように、本実施例では、該インク供給容器30は上側外周面に等間隔に四つの突出ブロック36を設けている。突出ブロック36により該インク供給容器30を前記固定台の穴１２８収容した時、該インク供給容器30を該固定台12の中に支持固定する。
【００１５】
図3に示すのは、本考案のインク供給印刷部を具有するインクジェットプリンターのインク供給容器の断面図である。該インク供給容器30は、容器蓋32及び容器本体34からなる。該容器蓋34の内側にスプリング322及びピストン324を具え、該スプリング322の一端側は容器蓋32の内側頂内面に当接する。該スプリング322の他端側は該ピストン324に当接する。インク供給容器30内のインクが満杯の時、該インクがピストン324及びスプリング322を上に押し上げ、この時、スプリング322は圧縮された状態となる。インクが次第に消耗すると、スプリング332は圧迫から解放され、ピストンの位置が下がる。そうすることで、インクがスムーズに該プリンタヘッド20に供給することができる。
【００１６】
本考案のメリットは4点ある：
1.本考案のインク供給印刷部を具有するインクジェットプリンターは、インク供給容器をインクジェットプリンターの中にある印刷部の駆動部と結合するため、ユーザーは操作すると同時に、インクの残量をチェックすることができる。
2.本考案のインク供給印刷部を具有するインクジェットプリンターは、インク供給容器をインクジェットプリンターの印刷部の駆動部と結合するため、インクが直接プリンタヘッドに供給し、コストを下げる。
3.本考案のインク供給印刷部を具有するインクジェットプリンターはシンプルな構造であり、ユーザーは手軽にインク供給容器を取り替えることができる。
4.本考案のインク供給印刷部を具有するインクジェットプリンターは、インク供給容器内にスプリング及びピストンを設置するため、インクは更にスムーズにプリンタヘッドに供給する。
【００１７】
以上の実施例による本考案の詳細な説明は本考案の範囲を制限するものではない。本技術に熟知する者は、局部の変更および調整を行っても本考案の重要な意義は失われず、本考案の範囲に含まれる。
【図面の簡単な説明】
【００１８】
【図１】本考案におけるインク供給印刷部インクジェットプリンターの立体分解図である。
【図２】本考案におけるインク供給印刷部インクジェットプリンターの立体外観図である。
【図３】本考案におけるインク供給容器の断面図である。
【符号の説明】
【００１９】
1  インク供給印刷部
10  駆動部
102  固定板
12  固定台
122  垂直板
124  接続部分
126  水平板
128  穴
20  プリンタヘッド
30  インク供給容器
32  容器蓋
322  スプリング
324  ピストン
34  容器本体
36  凸ブロック
40  接続パイプ
2  レール
3  ねじ
【図１】
0003139616.tif 000003
【図２】
0003139616.tif 000004
【図３】
0003139616.tif 000005